(57)【要約】【課題】合成樹脂管の接続部分の保護が簡単確実に行え、接続部分の保護及びロケーティング機能に損傷を生じさせることのない合成樹脂管の接続工法を提供する。【解決手段】外周面に外傷保護層３のある合成樹脂管１を用い、接続せんとする合成樹脂管１の外傷保護層３を剥離しない状態で、互いの端部を突き合わせてバット融着によって接続し、この接続部分に発生した外周のビード部１１を全周カットする。【選択図】図１
2006292111.tif 000002
【特許請求の範囲】
【請求項１】
外周面に外傷保護層のある合成樹脂管を互いに接続するための接続工法であり、接続せんとする合成樹脂管の外傷保護層を剥離しない状態で、互いの端部をバット融着によって接続し、この接続部分に発生した外周のビード部を全周カットすることを特徴とする合成樹脂管の接続工法。
【請求項２】
外周面に外傷保護層とロケーティング機能のある合成樹脂管を互いに接続するための接続工法であり、接続せんとする合成樹脂管のロケーティング機能と外傷保護層を剥離しない状態で、互いの端部をバット融着によって接続し、この接続部分に発生した外周のビード部を全周カットした後ロケーティング機能をコネクタによって接続し、更に、このコネクタを保護層によって覆うことを特徴とする合成樹脂管の接続工法。
【発明の詳細な説明】
【技術分野】
【０００１】
この発明は、外周面に外傷保護層やロケーティング機能を有する合成樹脂管の接続において、外傷保護層やロケーティング機能の性能を損なうことなく接続することができる合成樹脂管の接続工法に関する。
【背景技術】
【０００２】
近年、地中に埋設したガス管や水道管の構築に用いられている管は、従来の鋼管等の金属管に代えて合成樹脂管が採用されるようになり、このような合成樹脂管は、金属管に比べて耐久性に優れ、敷設時の可撓性が折損等の事故を有効に防止することができるという利点がある。
【０００３】
ところで、上記のような合成樹脂管は、ポリエチレンを用いた管本体の外周面を合成樹脂の外傷保護層で保護した構造を有し、必要に応じて外傷保護層の外側にロケーティングワイヤを沿わせ、地上から合成樹脂管の存在を電気的に確認することができるようにするためのロケーティング機能を付加するようになっている。
【０００４】
従来、上記のような合成樹脂管の接続工法は、互に接続せんとする合成樹脂管の端部において、外傷保護層を所定長さにわたって剥離し、管本体を露出させた状態で端部を当接させ、この当接部分を軸方向に加圧すると共に加熱するバット融着によって接続し、この後接続部分の外周をテープ状の保護材で覆うようにしている。
【発明の開示】
【発明が解決しようとする課題】
【０００５】
上記のような従来の工法は、接続部分の外周を覆う保護材にコストがかかり、巻付け作業に手間と時間がかかるという問題がある。
【０００６】
また、合成樹脂管を非開削工法によって地中や既設管内に引き込んだ場合、土圧や接触抵抗によって保護材が剥離するという問題がある。
【０００７】
更に、合成樹脂管の外面にロケーティングワイヤを沿わせる方法は、粘着テープ等によりロケーティングワイヤを固定するための作業に手間と時間がかかるだけでなく、合成樹脂管を非開削工法によって地中や既設管内に引き込んだ場合、土圧や接触抵抗によってロケーティングワイヤが断線する恐れがあり、しかも、土中においてロケーティングワイヤが腐食することになる。
【０００８】
そこで、この発明が解決しようとする課題は、合成樹脂管の接続部分の保護が簡単確実に行え、非開削工法によって地中や既設管内に引き込んだ場合も、接続部分の保護及びロケーティング機能に損傷を生じさせることのない合成樹脂管の接続工法を提供することである。
【課題を解決するための手段】
【０００９】
上記の課題を解決するために、請求項１の発明は、外周面に外傷保護層のある合成樹脂管を互いに接続するための接続工法であり、接続せんとする合成樹脂管の外傷保護層を剥離しない状態で、互いの端部をバット融着によって接続し、この接続部分に発生した外周のビード部を全周カットする構成を採用したものである。
【００１０】
請求項２の発明は、外周面に外傷保護層とロケーティング機能のある合成樹脂管を互いに接続するための接続工法であり、接続せんとする合成樹脂管のロケーティング機能と外傷保護層を剥離しない状態で、互いの端部をバット融着によって接続し、この接続部分に発生した外周のビード部を全周カットした後ロケーティング機能をコネクタによって接続し、更に、このコネクタを保護層によって覆う構成を採用したものである。
【００１１】
ここで、合成樹脂管は、ポリエチレンを用いた管本体の外周面を、耐摩耗性に優れた合成樹脂の外傷保護層で被覆し、この管本体と外傷保護層の間にロケーティングテープを管本体の全長に渡って介在させた構造を有している。
【００１２】
ロケーティング機能を接続するコネクタは、一対の金属板を細い線状の接続部で連結し、金属板の周囲複数箇所に先鋭状の爪を下向きに突設して形成され、合成樹脂管の接続部分を接続部が跨ぐようにして、両金属板を接続した両側合成樹脂管の外面に臨ませ、外傷保護層の上からロケーティングテープに向けて爪を打ち込むことにより、ロケーティングテープを電気的に接続することになり、このコネクタの外面を耐摩耗性に優れた保護樹脂板の融着によって覆うようにする。
【発明の効果】
【００１３】
請求項１の発明によると、合成樹脂管の外傷保護層を剥離しない状態で互いの端部をバット融着によって接続し、この接続部分に発生した外周のビード部を全周カットするようにしたので、接続部分に外傷保護層が残り、接続部分の保護がそのまま得られることになり、接続部分の処理が簡単になると共に、ビード部を全周カットすることにより外周への突出部分の発生がなく、非開削工法によって地中や既設管内に引き込んだ場合も、接続部分に損傷を生じさせることがない。
【００１４】
請求項２の発明によると、接続部分に外傷保護層が残り、接続部分の保護がそのまま得られることになり、接続部分の処理が簡単になると共に、ビード部を全周カットすることにより外周への突出部分の発生がなく、非開削工法によって地中や既設管内に引き込んだ場合も、接続部分に損傷を生じさせることがないと共に、ロケーティング機能をコネクタによって接続し、このコネクタを保護層又は保護用粘着テープ等によって覆うようにしたので、ロケーティングテープを電気的に接続でき、非開削工法によって地中や既設管内に引き込んだ場合、ロケーティング機能とコネクタの損傷や腐食の発生を防ぐことができる。
【発明を実施するための最良の形態】
【００１５】
以下、この発明にかかる合成樹脂管とその接続部分の構造を添付図面に基づいて説明する。
【００１６】
図２は、接続せんとする合成樹脂管１を示し、ポリエチレンを用いた管本体２の外周面を、耐摩耗性に優れた合成樹脂の外傷保護層３で被覆し、この管本体２と外傷保護層３の間にロケーティングテープ４を管本体２の全長に渡って介在させた構造を有し、前記外傷保護層３は透明もしくは半透明からなり、ロケーティングテープ４が外部から目視確認できるようになっている。
【００１７】
上記外傷保護層３は、管本体２の屈曲に追従するように、柔軟性に富み、かつ、強度を有する熱可塑性樹脂、例えば、ポリオレフィンまたはポリオレフィンと他のポリマーの共重合体等を用い、管本体２とロケーティングテープ４の外面を覆うように押出成形によって形成されている。
【００１８】
この外傷保護層３を形成するポリオレフィンとしては、ポリエチレンを例示でき、また、ポリオレフィンと他のポリマーの共重合体としては、エチレン−メタクリル酸共重合体を用いるのが好ましい。
【００１９】
また、ポリオレフィンと他のポリマーの共重合体であるエチレン−メタクリル酸共重合体の分子間を金属イオンで架橋したアイオノマー樹脂を使用できる。
【００２０】
このような外傷保護層３を形成する樹脂材料は、管本体２よりも耐摩耗性に優れ、削孔への樹脂管の引き込み時に管本体２が損傷するのを防ぐことができることになると共に、強度と耐摩耗性に優れているので厚みを１．５ｍｍ以下と薄くすることができ、管本体２の柔軟性を損なうことがなく、合成樹脂管１全体の外径が大きくならないので、削孔の小径化が図れる。
【００２１】
上記ロケーティングテープ４は、粘着剤層を設けた合成樹脂のテープ本体５と、このテープ本体５に設けた金属ネット６とで形成され、上記ロケーティングテープ４をテープ本体５の粘着剤層で管本体２に貼付けることによって配設されている。
【００２２】
更に、前記ロケーティングテープ４の金属ネット６は、厚み０．５ｍｍ以下で平なテープ状に形成され、このようにロケーティングテープ４を薄くすることで、合成樹脂管１全体の外径が大きくならないので、削孔の小径化が図れると共に、既設ガス管内への引き込みも有利となる。
【００２３】
また、金属ネット６は幅があるので、金属探査機による地上からの埋設位置の確認が正確に行えることになる。
【００２４】
図３乃至図５は、接続した合成樹脂管１のロケーティングテープ４における金属ネット６を電気的に接続するためのコネクタ７を示し、一対の矩形状金属板８、８を細い線状の接続部９で連結し、金属板８、８の周囲複数箇所に先鋭状の爪１０を下向きに突設して形成されている。
【００２５】
このコネクタ７は、薄い金属板を用い、両金属板８、８と接続部９及び爪１０をプレス成形によって一体に打ち抜き形成し、爪１０を下向きに折り曲げて製作され、接続部９は両端部が相反する方向に屈曲して両金属板８、８の対角位置にあるコーナをつなぐような形状に形成され、合成樹脂管１の伸縮を接続部９の可撓性で吸収し、爪１０は管本体２の厚みを貫通しない程度の長さに設定されている。
【００２６】
次に、合成樹脂管の接続方法を説明する。
【００２７】
図１（ａ）のように、互に接続せんとする合成樹脂管１の端部を、合成樹脂管１の外傷保護層３を剥離しない状態で臨ませ、端部を互に突き合わせた状態でこの突合せ部分の外側に周知のバット融着機をセットし、合成樹脂管１の突合せ部分に軸方向の力を加えながら、突合せ部分を加熱することによって融着する。
【００２８】
このような融着により、接続部分は管本体２と共に外傷保護層３が溶融し、図１（ｂ）のように融着部分の外側にビード部１１が盛り上がることになる。
【００２９】
上記融着完了後にバット融着機を取外し、これに代えて周知のビードカッターを接続部分にセットし、図１（ｃ）のように、ビード部１１の外周を切削除去することにより、接続部分の外径を合成樹脂管の外径に合うように仕上げる。
【００３０】
次に、図３のように、コネクタ７を合成樹脂管１におけるロケーティングテープ４の突合せ接続部分に、その接続部９が接続部分を跨いで両金属板８、８が接続した両側合成樹脂管１の外面に位置するように臨ませ、外傷保護層３の上からロケーティングテープ４に向けて両金属板８、８の爪１０を打ち込むようにする。
【００３１】
コネクタ７は、図４のように、両金属板８、８の爪１０が外傷保護層３とロケーティングテープ４の金属ネット６を貫通することにより、接続した両側合成樹脂管１の金属ネット６を電気的に接続することになる。
【００３２】
この後、図１（ｄ）及び図４のように、コネクタ７の外面にこのコネクタ７よりも大き目の耐摩耗性に優れた保護樹脂板１２を重ね、その外側に樹脂板融着機をセットし、保護樹脂板１２を所定時間だけ加熱した後冷却することによって合成樹脂管１の外面に保護樹脂板１２を融着すれば、コネクタ７に対する保護処理が完了する。
【００３３】
また、保護性能は多少落ちるが作業時間の短い保護テープの巻着によってコネクタ７の保護処理をしてもよい。
【００３４】
なお、上記保護樹脂板１２は、外傷保護層３と同様耐摩耗性と接着性のある材料を用い、また、コネクタ７を目視確認できるように透明が好ましい。
【００３５】
上記のようにして接続した合成樹脂管１の接続部分は、図４のように、管本体２の端面の厚みが互に溶融して融着するので、充分な接続強度が得られると共に、接続部分に外傷保護層３が残り、接続部分の保護がそのまま得られることになり、接続部分の処理が簡単になると共に、ロケーティングテープ４の金属ネット６をコネクタ７によって電気的に接続することができ、しかも、コネクタ７の外面を保護樹脂板１２や保護テープで覆っているので、非開削工法によって合成樹脂管１を地中や既設管内に引き込んだ場合、ロケーティング機能とコネクタ７の損傷や腐食の発生を防ぐことができる。
【００３６】
なお、合成樹脂管１は、図示の場合ロケーティングテープ４を設けたものを例示したが、ロケーティングテープ４を省いた合成樹脂管１の接続も同様に行うことができ、また、接続部分のビード部１１をカットした部分は保護テープの巻着によって仕上げるようにしてもよい。
【００３７】
ここで、地中に埋設する合成樹脂管１は、ガス用管路や水道用管路の構築に用いられることになる。
【図面の簡単な説明】
【００３８】
【図１】（ａ）乃至（ｄ）のそれぞれは合成樹脂管の接続工法の工程を順番に示す斜視図
【図２】合成樹脂管の要部を拡大した縦断面図
【図３】合成樹脂管の接続部分を拡大して示す一部切り欠き平面図
【図４】合成樹脂管の接続部分を拡大して示す縦断正面図
【図５】ロケーティングテープの接続に使用するコネクタの斜視図
【符号の説明】
【００３９】
１    合成樹脂管
２    管本体
３    外傷保護層
４    ロケーティングテープ
５    テープ本体
６    金属ネット
７    コネクタ
８    金属板
９    接続部
１０  爪
１１  ビード部
１２  保護樹脂板
【図１】
2006292111.tif 000003
【図２】
2006292111.tif 000004
【図３】
2006292111.tif 000005
【図４】
2006292111.tif 000006
【図５】
2006292111.tif 000007